(57)【特許請求の範囲】
【請求項１】
樹脂製育苗ポットの上端開口縁に沿って形成されたスリットに薄板状ラベルの下部を差し込み、同ラベルの育苗ポット上に突出する上部を育苗ポット側に所望角度で傾斜させた育苗ポット構体であって、前記スリットは、横一文字の直線スリットと、その直線スリットの両端に育苗ポットの中央部寄りに短く延長させた折線スリットを有し、前記ラベルの下部の下端部分に育苗ポット側に曲げて癖つけした屈曲部を形成し、この屈曲部の下端を育苗ポットの外面に当接させることでラベル上部の育苗ポット上での傾斜角度を規制したことを特徴とする育苗ポット構体。
【請求項２】
上記ラベルの下部の屈曲部とラベル上部の間のラベル両側辺に、育苗ポットのスリットに差し込まれると同スリット両端に係止してスリット上方へのラベルの抜けを抑制する係止部を形成したことを特徴とする請求項１記載の育苗ポット構体。
【発明の詳細な説明】
【０００１】
本発明は、樹脂製の育苗ポットに野菜や花等の植物の名前や写真、育苗説明文等を明示したラベルを装着した育苗ポット構体に関する。
【０００２】
【従来の技術】
樹脂製の育苗ポットとして、ポリプロピレンやポリエチレン等の樹脂材料から量産される薄い柔軟性のあるコップ形状のものが普及している。この育苗ポットに装着されるラベルは、全体が薄い平板状の硬質樹脂板が一般的であり、このラベルのくさび形の下部が育苗ポットに収容された土壌等に差し込まれ、育苗ポット上に突出するラベル上部の表裏両面に育苗ポットで生育される種苗の名前や、特性、生育方法、生育したときの花等の絵や写真、種苗の値段等を記録したバーコード等が明示される。
【０００３】
育苗ポットに装着されるラベルは、種苗の生育者には種苗の生育管理を便利なものにし、また、店頭販売する場合には種苗の購買者が種苗の種類を間違わないようにするために重要であり、購買者の購買意欲を高める。
【０００４】
また、上記薄い樹脂製育苗ポットは変形し易いことから、通常においては育苗ポットを個々に収容する複数の凹所を有する硬質の枠状ケースの各凹所に育苗ポットを収納して、各育苗ポットに土壌を入れ、各育苗ポットに平板状のラベルを装着して、各育苗ポットの土壌で種苗の生育をするようにしている。この場合、枠状ケースに収納した複数の育苗ポットを枠状ケースと共に保管や運搬をし、各育苗ポットで生育される種苗の店頭販売を行うようにしている。
【０００５】
育苗ポットに装着されるラベルの多くは、ラベル上部の表面側に種苗の名前と生育したときの写真や絵を明示しており、このラベル上部の表面側が購買者によく見えるようにラベルを育苗ポットの土壌に差し込んでいる。例えば、図９に示すように１つの育苗ポット１の土壌２に１枚のラベル３を差し込む場合、購買者から見て育苗ポット１の前側〔図９（Ａ）の場合〕か後側〔図９（Ｂ）の場合〕のいずれかにラベル３を差し込み、このとき、ラベル上部の表面側が購買者に見やすくなるように土壌２からラベル３の上部が購買者から見て後方に所望の傾斜角度θで傾くようにしている。育苗ポット１の後側にラベル３を差し込むラベル後置きタイプの図９（Ｂ）の形態は、ラベル３と購買者の間に存在する育苗物４がラベル３を見難くすることがある。そこで、最近は育苗ポット１の前側にラベル３を差し込むラベル前置きタイプの図９（Ａ）の形態が普及している。
【０００６】
【発明が解決しようとする課題】
育苗ポットに収容された土壌にラベルの下部を差し込む場合、育苗ポットの土壌上でのラベル位置やラベル上部の傾き角度が任意に設定できる有利さがあるが、育苗ポットの土壌が軟らかい場合に運搬時等でラベルに外力が作用すると土壌上でラベル上部の傾き角度が簡単に変位することがあり、また、店頭販売時においては購買者がラベルを簡単に引き抜いたり、ラベル傾き角度を簡単に変えることがある。このように育苗ポットに装着されたラベルの傾き角度が簡単に変位すると、購買者がラベルを見づらくなって種苗の購買意欲を低下させ、種苗の店頭販売者に不利益をもたらすことがある。
【０００７】
また、ラベルを育苗ポットの土壌に差し込まずに育苗ポットの上端開口縁に直接に差し込んだり、クリップで直接に取り付けるようにして、ラベルの傾きを安定させることが試みられている。この後者のクリップを使用したラベル取付形態の場合はクリップのためにコスト高となり、かつ、クリップでラベルを育苗ポットに取り付ける作業が面倒である。前者の育苗ポットの上端開口縁にラベルを差し込むラベル取付形態の場合は、次のような問題があって実用化が難しい。
【０００８】
すなわち、例えば図１０に示すように複数の育苗ポット１を枠状ケース５に整列させて、図９（Ａ）と同様にして育苗ポット１の前側の上端開口縁にラベル３を差し込んで店頭販売する場合、ラベル３の下部が育苗ポット１の外面から自由状態で離れてラベル３の傾き角度が不安定となる不具合がある。また、２つの隣接する育苗ポット１、１の上端開口縁同士が接触或いは極接近しているために、一方の育苗ポット１の上端開口縁に差し込んだラベル３が隣接する育苗ポット１に差し込まれるラベル挿入ミスが発生することがある。
【０００９】
本発明の目的とするところは、育苗ポットの前側にラベルを常に見やすい所望の角度で装着することが容易にできるラベル前置きタイプの育苗ポット構体を提供することにある。
【００１０】
【課題を解決するための手段】
本発明の上記目的を達成する技術的手段は、樹脂製育苗ポットの上端開口縁に沿って形成されたスリットに薄板状ラベルの下部を差し込み、同ラベルの育苗ポット上に突出する上部を育苗ポット側に所望角度で傾斜させた育苗ポット構体であって、前記ラベルの下部の下端部分に育苗ポット側に曲がて癖付けした屈曲部を形成し、この屈曲部の下端を育苗ポットの外面に当接させることでラベル上部の育苗ポット上での傾斜角度を規制したことを特徴とする。
【００１１】
本発明の上記目的を達成するための手段は、樹脂製育苗ポットの上端開口縁に沿って形成されたスリットに薄板状ラベルの下部を差し込み、同ラベルの育苗ポット上に突出する上部を育苗ポット側に所望角度で傾斜させた育苗ポット構体であって、前記スリットは、横一文字の直線スリットと、その直線スリットの両端に育苗ポットの中央部寄りに短く延長させた折線スリットを有し、前記ラベルの下部の下端部分に育苗ポット側に曲げて癖つけした屈曲部を形成し、この屈曲部の下端を育苗ポットの外面に当接させることでラベル上部の育苗ポット上での傾斜角度を規制したことを特徴とする。
【００１２】
また、本発明においては、上記ラベルの下部の屈曲部とラベル上部の間のラベル両側辺に、育苗ポットのスリットに差し込まれるとスリット両端に係止してスリット上方へのラベル抜けを抑制する係止部を形成したことを特徴とする。ここでのラベルの係止部は、ラベルの下部を育苗ポットのスリットに所定の長さだけ差し込むとスリットの両端に係止してラベル抜けを抑制する切欠きや突起である。このような係止部は、ラベル下部のスリットへの差し込み長さを一定に規制して育苗ポット上でのラベル上部の突出長さや傾き角度を所定値に規制する手段として有効である。
【００１５】
【発明の実施の形態】
一実施形態を図１乃至８を参照して説明する。
【００１６】
図１（Ａ）（Ｂ）に示される育苗ポット構体は、樹脂製の育苗ポット１１の上端開口縁１２の一部に形成されたスリット１３に縦長の略平板状樹脂製ラベル２１の下部２１ａを差し込んで、ラベル２１の上部２１ｂを育苗ポット１１の上方側に所望の角度θで傾斜させたものである。傾斜したラベル上部２１ｂの上向き面が表面ｍ、下向き面が裏面ｎであり、上向きの表面ｍに育苗ポット１１の土壌２で生育される育苗物４の名前、写真等が明示され、この上向き表面ｍを購買者の方向に向けて育苗ポット構体が店頭販売等される。
【００１７】
育苗ポット１１の具体例を図４（Ａ）（Ｂ）に示すと、これは略円形の底部１１ａと略正方形の角筒状側壁部１１ｂを有するコップ状の柔軟な樹脂容器で、側壁部１１ｂの上端開口縁１２の一部にラベル装着用スリット１３が形成される。なお、育苗ポット１１はポリエチレン等の厚さ０．２ｍｍ程度の薄い樹脂材料を成形して多数個が部分的に連結された状態で製造され、連結された状態で各育苗ポット１１が、或いは、個々に分割された各育苗ポット１１が例えば図６に示すような硬質樹脂の枠状ケース５に整列されて、店頭販売等される。
【００１８】
育苗ポット１１の角筒状側壁部１１ｂの一辺の中央部分に側壁部１１ｂ内面側に凹む凹壁部１１ｃが側壁部１１ｂと連続させて一体に形成され、凹壁部１１ｃの上端開口にこの上端開口を塞ぐように天縁部１１ｄが一体に形成され、この天縁部１１ｄにスリット１３が形成される。天縁部１１ｄの略中央部にガイド溝１１ｅが形成され、ガイド溝１１ｅの底面にほぼ横一文字状のスリット１３が形成される。スリット１３は１枚のラベル２１の下部２１ａが若干の摩擦抵抗でもって挿脱可能に差し込まれると、ラベル２１に摩擦係合してラベル２１を保持する。スリット１３の周辺を囲うガイド溝１１ｅの内壁面は、スリット１３に差し込まれるラベル２１の下端を滑らせてスリット１３にガイドして、ラベル２１のスリット１３への挿入が簡単迅速に行えるようにする。なお、育苗ポット１１の底部１１ａには、図示しない水抜き穴や補強用凹凸等が形成される。
【００１９】
ラベル２１は図２に示すようなプラスチック等の薄い縦長の硬質樹脂板で、育苗ポット１１のスリット１３に真上から差し込まれるくさび形状の下部２１ａと、育苗ポット１１上に突出する平板状の上部２１ｂを有する。この育苗ポット構体の特徴の１つは、ラベル下部２１ａの先端部分に裏面側に曲げて癖付けした屈曲部２１ｃを形成し、ラベル下部２１ａをスリット１３に挿入したときに、屈曲部２１ｃの下端を育苗ポット１１の外面に当接させることで、ラベル上部２１ｂの傾斜角度θを安定して確保することである。また、育苗ポット構体の別の特徴の１つは、ラベル下部２１ａの屈曲部２１ｃと上部２１ｂの間の両側辺にラベル抜け防止用係止部２２を形成して、ラベル下部２１ａをスリット１３に係止部２２の位置まで差し込んだときに係止部２２をスリット１３の両端に係止させることで、ラベル２１の抜けを抑制し、ラベル下部２１ａのスリット１３への差し込み長さを規制してラベル上部２１ｂの傾斜角度θを安定させることである。
【００２０】
ラベル２１の屈曲部２１ｃの形成例を図３（Ａ）（Ｂ）に示す。図３（Ａ）の実線に示すような全体が平板状の薄い硬質樹脂製ラベル２１を量産して、この平板状ラベル２１の下部２１ａの先端部分を鎖線で示すように大きめの角度で曲げて、元の平板状に戻らないように癖付けして屈曲部２１ｃを形成する。また、図３（Ｂ）に示すように全体が平板状の薄い硬質樹脂製ラベル２１の下部２１ａの一部に曲げ線２３を形成し、この曲げ線２３から下部２１ａを曲げて屈曲部２１ｃを形成する、或いは、曲げ線２３部分を加熱し軟化させて曲げてから冷却し硬化させることで屈曲部２１ｃを形成する。なお、図２や図３の鎖線で示す屈曲部２１ｃは略く字状に折曲した形状であるが、この形状に限らず、ラベル下部２１ａの全体が長さ方向に円弧状に湾曲した形状であってもよい。
【００２１】
以上のラベル２１が差し込まれる育苗ポット１１のスリット１３の形状例を図５に示すと、同図のスリット１３は横一文字の直線スリット１３ａと、直線スリット１３ａの両端に育苗ポット１１の中央部寄りに短く延長させた折線スリット１３ｂを有する。スリット１３に真上からラベル２１の下部２１ａを差し込むと、スリット１３の在る天縁部１１ｄの各スリット１３ａ、１３ｂで三方が囲まれた舌片部分１１ｆがラベル下部２１ａとの挿入抵抗で下方に変形してラベル上部２１ｂを育苗ポット１１の中央部寄りに積極的に傾斜させる。このようなスリット１３にラベル２１の下部２１ａを、その裏面ｎを育苗ポット１１の中央に向けた姿勢で屈曲部２１ｃの下端から差し込む。そして、図１（Ｂ）に示すように屈曲部２１ｃの下端を育苗ポット１１の凹壁部１１ｃの外面に当接させた状態で、ラベル下部２１ａの両側の係止部２２をスリット１３の両端に係止させる。
【００２２】
図１（Ｂ）に示すようにスリット１３にラベル２１の下部２１ａを係止部２２の在る所定の長さ位置まで差し込み、屈曲部２１ｃの下端を育苗ポット１１の外面に積極的に当接させると、ラベル２１の上部２１ｂの育苗ポット１１上でのポット内側への傾き角度θが一定に規制される。このラベル傾き角度θは、仮にラベル２１の屈曲部２１ｃの曲げ角度が変動等して屈曲部２１ｃの下端が育苗ポット１１の外面から離れたり、或いは、スリット１３の両端に対する係止部２２の位置が上下にズレてラベル２１が上下に位置変位するような場合に変位するが、屈曲部２１ｃの形状が安定しており、かつ、係止部２２がスリット１３に係止することで、傾き角度θの不本意な変位が抑制されて傾き角度θが安定する。
【００２３】
図１（Ｂ）に示すラベル２１は、ラベル前置きタイプの図１（Ａ）と同様に育苗ポット１１の前側に後方に傾斜させて装着されて、ラベル上部２１ｂの表面ｍの種苗名や写真が購買者から見やすくしてある。このラベル２１に購買者が手を触れても、ラベル傾き角度θが屈曲部２１ｃ等の作用で変動し難くなっており、仮に購買者が抜こうとしてもラベル２１の係止部２２とスリット１３の係止で簡単には抜けず、ますますラベル傾き角度θが安定する。
【００２４】
また、育苗ポット１１の単品の複数個を図６に示すように枠状ケース５に整列させて店頭販売する場合、隣接する育苗ポット１１，１１の一方にラベル２１を差し込むときにラベル２１の屈曲部２１ｃの下端が育苗ポット外面に当接することで、ラベル２１が隣の育苗ポット１１に差し込まれるラベル挿入ミスの発生が回避される。
【００２５】
本発明は上記実施形態に限らず、例えば円筒形の側壁部を有する薄い柔軟性のある樹脂製育苗ポットや、厚い硬質樹脂で成形された育苗ポットであってもよく、これら育苗ポットの上端開口縁に突設された薄い鍔部にスリットを形成して、このスリットに樹脂製や紙製のラベルを差し込んだ育苗ポット構体にも適用可能である。
【００２６】
また、上記実施形態におけるラベル２１を上記育苗ポット１１にラベル前置きタイプで差し込んで店頭販売される育苗ポット構体を構成したが、ラベル２１の単品を別の種類の育苗ポットに差し込んで店頭販売等することも可能であり、このようなラベル別使用の本発明実施形態例を図７と図８に示し説明する。
【００２７】
図７の実施形態は通常の育苗ポット１１’の土壌２にラベル２１をラベル後置きタイプで差し込んだものである。この場合、ラベル２１の下部２１ａにおける屈曲部２１ｃを長めに形成して、この屈曲部２１ｃを土壌２に対して略垂直方向から差し込んで、ラベル上部２１ｂを裏面側に所望の傾斜角度αで傾斜させるようにする。このようにラベル後置きタイプの育苗ポット構体にラベル２１を使用すると、ラベル２１の屈曲部２１ｃの屈曲角度を利用することでラベル傾き角度αの均一化が容易になり、購買者に見やすいラベル傾き角度の設定が容易になる。
【００２８】
図８の実施形態は、育苗ポット１１’の軟らかい土壌２にラベル２１の下部２１ａのほぼ全体を差し込んだものである。この場合、ラベル下部２１ａの先端部分の屈曲部２１ｃが土壌２に食い込んだ形で埋設されるので、購買者がラベル上部２１ｂを手にしてその長さ方向に引き抜こうとしたときに、屈曲部２１ｃが土壌２に食い付いてラベル２１の引き抜きを強く抑制する。また、屈曲部２１ｃと土壌２の強い食い付きでラベル上部２１ｂの土壌２からの傾き角度が安定する。
【００２９】
なお、図７や図８用途のラベルの形状寸法は、図１用途のラベルと同一である必要はなく、特にラベル下部の屈曲部の曲げ角度、全体の曲げ形状は用途に応じて変更される。
【００３０】
【発明の効果】
本発明によれば、育苗ポットの上端開口縁のスリットにラベルの下部を差し込んでラベル下部の屈曲部下端を育苗ポットの外面に当接させることで、ラベル上部を育苗ポット上で所望の角度で積極的に傾斜させたので、育苗ポット購買者にとって常にラベルが見やすい状態のラベル前置きタイプの育苗ポット構体が提供できる。また、複数の育苗ポットを接近させて専用ケースに整列させた場合に、１つの育苗ポットに差し込むラベルが隣接する育苗ポットに差し込まれるラベル挿入ミスがラベル下部の屈曲部で回避されるので、複数の育苗ポットの各々に適正なラベルを装着して店頭販売することができる高信頼度の育苗ポット構体が提供できる。
【００３１】
また、育苗ポットのスリットにラベル下部を差し込むときに、ラベル下部の両側片に形成した係止部をスリット両端に係止させることで、ラベルの簡単な抜け防止が可能となると共に、スリットへのラベル下部の差し込み長さが係止部で規制されて、ラベル上部の育苗ポット上での傾き角度がより安定して確保できるようになる。
【００３２】
また、ラベル下部に屈曲部を形成したラベルの単品を育苗ポットの土壌に差し込むようにした場合、ラベル下部の屈曲部の曲げ角度を利用してラベル上部の土壌からの傾き角度を安定させることが容易にでき、このような用途のラベルは特にラベル後置きタイプの育苗ポット構体において有効である。さらに、ラベル下部を育苗ポットの土壌に差し込んだ場合に、ラベル下部の屈曲部が土壌に食い込んでラベルの不本意な抜けが抑制されて、ラベル抜けの少ないかつラベル傾き角度の安定した店頭販売に好適な育苗ポット構体が提供できる。
【図面の簡単な説明】
【図１】（Ａ）は実施形態を示す育苗ポット構体の斜視図、（Ｂ）は同育苗ポット構体の部分断面を含む側面図である。
【図２】図１育苗ポット構体のラベル装着時の斜視図である。
【図３】（Ａ）はラベルの加工前の斜視図、（Ｂ）は別のラベルの加工前の斜視図である。
【図４】（Ａ）は図１の育苗ポットの平面図、（Ｂ）は図４（Ａ）のＸ−Ｘ線に沿う拡大断面図である。
【図５】図４の育苗ポットにおけるスリット部分の拡大平面図である。
【図６】図１の育苗ポット構体の複数をケースに整列させたときの部分断面を含むケース側面図である。
【図７】育苗ポット用ラベルの別の用途を示す育苗ポット構体の部分断面を含む側面図である。
【図８】育苗ポット用ラベルのさらに別の用途を示す育苗ポット構体の部分断面を含む側面図である。
【図９】（Ａ）はラベル前置きタイプの育苗ポット構体の部分断面を含む側面図、（Ｂ）はラベル後置きタイプの育苗ポット構体の部分断面を含む側面図である。
【図１０】図９（Ａ）の育苗ポットの複数をケースに整列させたときのケース側面図である。
【符号の説明】
１１    育苗ポット
１１’  育苗ポット
１２    上端開口縁
１３    スリット
２１    ラベル
２１ａ  ラベル下部
２１ｂ  ラベル上部
２１ｃ  屈曲部
θ    ラベル傾き角度
２２    係止部
【図１】
0004049520.tif 000002
【図２】
0004049520.tif 000003
【図３】
0004049520.tif 000004
【図４】
0004049520.tif 000005
【図５】
0004049520.tif 000006
【図６】
0004049520.tif 000007
【図７】
0004049520.tif 000008
【図８】
0004049520.tif 000009
【図９】
0004049520.tif 000010
【図１０】
0004049520.tif 000011